(57)【要約】【課題】不良券を回収する作業性を向上させるとともに、マネーストレスに善処した紙葉類処理装置を提供する。【解決手段】紙葉類処理装置は、取引時に投入された紙幣Ｐａ又は払い出すべき紙幣を収納する運用金庫Ａ，Ｂ，Ｄおよび着脱可能なカセット金庫Ｃを含む複数の金庫Ａ〜Ｄと、カセット金庫Ｃに装填された紙幣Ｐａを識別部２０で識別して対応する運用金庫Ａに補給する動作または所定の運用金庫Ａの紙幣Ｐａを識別部２０での識別を通じてカセット金庫Ｃに回収する動作を行う搬送制御手段２と、識別部２０で不良券と判定された紙幣Ｐａを保留する退避部Ｇとを有する。そして、カセット金庫Ｃに、補給用紙幣又は回収済紙幣を収納するための収納部ＳＰ２とは別に不良券を収納するためのカセット金庫側不良券回収部４を設け、搬送制御手段２に、退避部Ｇに保留した不良券をカセット金庫側不良券回収部４に搬送させるようにした。【選択図】図１０
2012073711.tif 000002
【特許請求の範囲】
【請求項１】
取引時に投入された紙幣又は払い出すべき紙幣を収納する運用金庫および着脱可能なカセット金庫を含む複数の金庫と、
カセット金庫に装填された紙幣を識別部で識別して対応する運用金庫に補給する動作または所定の運用金庫の紙幣を前記識別部での識別を通じて前記カセット金庫に回収する動作を行う搬送制御手段と、
前記識別部で不良券と判定された紙幣を保留する退避部とを具備してなり、
前記カセット金庫に、補給用紙幣又は回収済紙幣を収納するための収納部とは別に前記不良券を収納するためのカセット金庫側不良券回収部を設け、前記搬送制御手段に、前記退避部に保留した不良券を前記カセット金庫側不良券回収部に搬送させるように構成したことを特徴とする紙葉類処理装置。
【請求項２】
前記カセット金庫は、紙幣を集積状態で収納する収納室と、前記収納室内部を移動可能に構成されたフォークとを備え、前記収納室を、投入される紙幣を受け入れるための受入部と、紙幣を収納する収納部とに区画する位置に前記フォークを移動させ、受入部に投入された紙幣を受入部から収納部に移送する動作を前記フォークに行わせることで、紙幣を収納するように構成されており、
前記補給動作又は回収動作が完了した後に前記不良券を前記受入部へ投入し、受入部に投入された不良券を補給用紙幣又は回収済紙幣を収納する前記収納部に移送しないで前記受入部に保持し続けることにより、前記受入部を前記カセット側不良券回収部として用いるように構成した請求項１に記載の紙葉類処理装置。
【請求項３】
前記運用金庫にある釣り札等の払い出すべき紙幣を前記識別部で識別して払出口に搬送する払い出し処理を行う運用モードにおいて前記識別部で不良券と判定された紙幣を前記退避部に保留しておき、回収すべき紙幣を前記カセット金庫の収納部に回収した後に、運用モードにおいて生じた不良券を前記カセット金庫側不良券回収部に搬送するように構成した請求項１又は２に記載の紙葉類処理装置。
【発明の詳細な説明】
【技術分野】
【０００１】
本発明は、現金の投入に応じて発券や商品販売等の取引を行い、釣りを返却する自動発券機等に用いる紙葉類処理装置に係り、特に機械に不良券と判定された紙幣の回収を適正化した紙葉類処理装置に関する。
【背景技術】
【０００２】
自動発券機や自動販売機等の紙葉類処理装置は、紙幣を収納する金庫と、投入される紙幣の金種を識別部で識別して対応する金庫に搬送するとともに所定の金庫にある払い出すべき紙幣を識別部での識別を介して払出口に搬送する搬送制御手段とを具備し、投入紙幣の受け入れ及び釣り札等の払い出し等を行うように構成されるのが通例である。
【０００３】
この種の紙葉類処理装置の一例として特許文献１には、取引時に投入された紙幣又は払い出すべき紙幣を収納する運用金庫および着脱可能なカセット金庫を含む複数の金庫と、カセット金庫に装填された紙幣を識別部で識別して対応する運用金庫に補給する動作と、所定の運用金庫の紙幣を識別部での識別を通じてカセット金庫に回収する動作とを行う搬送制御手段と、搬送制御手段の搬送路に接続され紙幣を保留可能な退避部とを有し、払い出し動作、補給動作又は回収動作において識別部で不良券と判定された紙幣を退避部に搬送して保留し続ける紙葉類処理装置が開示されている。
【先行技術文献】
【特許文献】
【０００４】
【特許文献１】特開２０１０−１５７０４６号公報
【発明の概要】
【発明が解決しようとする課題】
【０００５】
ところが、上記従来の紙葉類処理装置では、識別部で不良券と判定された紙幣を退避部に保留し続けているので、カセット金庫による紙幣の補給又は回収作業とは別途に退避部にある不良券を回収する作業が必要となり、煩わしく、複数作業により作業効率が損なわれてしまう。
【０００６】
また、退避部にある不良券と判定された紙幣に直接触れなければならないことが多く、この場合、現金を取り扱う責任としてのマネーストレスが問題となる。
【０００７】
本発明は、このような課題に着目してなされたものであって、その目的は、不良券を回収する作業性を向上させるとともに、マネーストレスに善処した紙葉類処理装置を提供することである。
【課題を解決するための手段】
【０００８】
本発明は、かかる目的を達成するために、次のような手段を講じたものである。
【０００９】
すなわち、本発明に係る紙葉類処理装置は、取引時に投入された紙幣又は払い出すべき紙幣を収納する運用金庫および着脱可能なカセット金庫を含む複数の金庫と、カセット金庫に装填された紙幣を識別部で識別して対応する運用金庫に補給する動作または所定の運用金庫の紙幣を前記識別部での識別を通じて前記カセット金庫に回収する動作を行う搬送制御手段と、前記識別部で不良券と判定された紙幣を保留する退避部とを具備してなり、前記カセット金庫に、補給用紙幣又は回収済紙幣を収納するための収納部とは別に前記不良券を収納するためのカセット金庫側不良券回収部を設け、前記搬送制御手段に、前記退避部に保留した不良券を前記カセット金庫側不良券回収部に搬送させるようにしたことを特徴とする。
【００１０】
識別部が不良券と判定する場合は、例えば読み取り不能時、金種の相違時、重送発生時、異常検知時等が挙げられる。
【００１１】
このように、カセット金庫に、補給用紙幣又は回収済紙幣を収納するための収納部とは別に不良券を収納するためのカセット金庫側不良券回収部を設け、搬送制御手段に、補給時又は回収時に退避部に保留した不良券をカセット金庫側不良券回収部に搬送させるようにしたので、カセット金庫を用いて補給又は回収作業を行うだけで補給用紙幣又は回収済紙幣と分別した状態で不良券を回収でき、補給作業又は回収作業と別途に不良券を回収する作業が不要となり、作業効率を向上させることができる。しかも、不良券を回収するために不良券自体に触れる必要がないので、マネーストレスを無くすることが可能となる。さらに、不良券を回収することで、不良券が搬送経路又は金庫へ戻って循環することを防止でき、処理速度の向上、不良券詰まり等の障害発生を低減することが可能となる。
【００１２】
装置寸法や製造コストを増大させることなく、上記カセット金庫側不良券回収部を設けるためには、前記カセット金庫は、紙幣を集積状態で収納する収納室と、前記収納室内部を移動可能に構成されたフォークとを備え、前記収納室を、投入される紙幣を受け入れるための受入部と、紙幣を収納する収納部とに区画する位置に前記フォークを移動させ、受入部に投入された紙幣を受入部から収納部に移送する動作を前記フォークに行わせることで、紙幣を収納するように構成されており、前記補給動作又は回収動作が完了した後に前記不良券を前記受入部へ投入し、受入部に投入された不良券を補給用紙幣又は回収済紙幣を収納する前記収納部に移送しないで前記受入部に保持し続けることにより、前記受入部を前記カセット側不良券回収部として用いるように構成することが好ましい。
【００１３】
運用モードにおいて生じた不良券を適切に回収するためには、前記運用金庫にある釣り札等の払い出すべき紙幣を前記識別部で識別して払出口に搬送する払い出し処理を行う運用モードにおいて前記識別部で不良券と判定された紙幣を前記退避部に保留しておき、回収すべき紙幣を前記カセット金庫の収納部を通じて回収した後に、運用モードにおいて生じた不良券を前記カセット金庫側不良券回収部に搬送するように構成することが望ましい。
【発明の効果】
【００１４】
本発明は、以上説明したように、カセット金庫に、補給用紙幣又は回収済紙幣を収納するための収納部とは別に不良券を収納するためのカセット金庫側不良券回収部を設け、搬送制御手段に、補給又は回数時に退避部に保留した不良券をカセット金庫側不良券回収部に搬送させるようにしたので、カセット金庫を用いて補給又は回収作業を行うだけで補給用紙幣又は回収済紙幣と分別した状態で不良券を回収でき、補給作業又は回収作業と別途に不良券を回収する作業が不要となり、作業効率を向上させることができる。しかも、不良券を回収するために不良券自体に触れる必要がないので、マネーストレスを無くすることが可能となる。さらに、不良券を回収することで、不良券が搬送経路又は金庫へ戻って循環することを防止でき、処理速度の向上、不良券詰まり等の障害発生を低減することが可能となる。したがって、円滑且つ適切な現金運用が可能となる紙葉類処理装置を提供することが可能となる。
【図面の簡単な説明】
【００１５】
【図１】本発明の一実施形態に係る現金処理装置を示す概略全体構成図。
【図２】一部の金庫を抜き取った状態を示す図１に対応した図。
【図３】同実施形態における搬送制御手段の構成および機能の概略を示すブロック図。
【図４】同実施形態における収納室及び投入繰り出し機構の周辺構成を模式的に示す側面図。
【図５】同実施形態において収納室に紙葉類を投入する動作を模式的に示す側面図。
【図６】同実施形態において収納室から紙葉類を排出する動作を模式的に示す側面図。
【図７】同実施形態においてフォークの動作を示す図。
【図８】同実施形態において運用モードの動作を示す図。
【図９】同実施形態において無停止補給時の動作を示す図。
【図１０】同実施形態において無停止補給時の動作を示す図。
【図１１】同実施形態において無停止回収時の動作を示す図。
【図１２】同実施形態において無停止回収時の動作を示す図。
【図１３】同実施形態において締め切り回収時の動作を示す図。
【発明を実施するための形態】
【００１６】
以下、本発明の一実施形態に係る紙葉類処理装置を、図面を参照して説明する。
【００１７】
図１に示す本実施形態の紙葉類処理装置は、例えば乗車券やカード、精算切符等の券売を行う自動発券機として用いられるもので、紙幣ブロック１と、この紙幣ブロック１にセットされて紙幣の収納場所となる４つの金庫Ａ〜Ｄと、外部から投入される紙幣の金種を識別部２２で識別して金庫Ａ〜Ｄのうち対応する金庫に搬送経路２１を介して搬送する搬送制御手段２とを備えている。
【００１８】
紙幣ブロック１は、図１に示すように紙葉類処理装置を利用する利用者に近い側に挿入口１１、出金口１３、返却口１４（以下、出金口１３及び返却口１４を合わせて払出口１２ともいう）を設けたもので、同じく利用者に近い側に固定式の金庫Ｄを内設し、係員が操作を行う側に３つのカセット式の金庫Ａ〜Ｃを設けている。また、紙幣ブロック１には、金庫Ａ〜Ｃに対応して設けられこれら金庫Ａ〜Ｃへ識別部２２により真性であると識別された紙幣を収納する前に一次的に保留する一次保留部ａ１〜ｄ１、搬送経路２１上の紙幣（不良券を含む）を一時的に保留する一時保留部Ｅや出金保留部Ｆが設けられている。図３に示すように、一時保留部Ｅと搬送経路２１との接続部分ＳＷＢは、挿入口１１からの円滑な搬送に資するために挿入口１１側に向かって傾斜して形成されており、金庫Ａ〜Ｄも同様である。出金保留部Ｆと搬送経路２１との接続部分は、各金庫Ａ〜Ｄからの円滑な搬送に資するために金庫Ａ〜Ｄ側に向かって傾斜して形成されている。
【００１９】
さらに一時保留部Ｅとは別に、読み取り不能、金種相違、重送発生、異常検知時の不良券を保留する退避部Ｇが設けられている。退避部Ｇは搬送経路２１のうち金庫Ａ〜Ｄから出庫する出金方向終端部に接続されている。搬送経路２１のうち出金方向終端部に退避部Ｇを接続するとは、出金方向に沿って前進している現金を、その搬送方向を折り返して後退させることなく退避部Ｇへ搬送可能であることをいい、例えば搬送ローラの回転を止めて逆回転することなく現金を搬送可能であることが挙げられる。
【００２０】
カセット式の金庫Ａ〜Ｃは、図２に例示するように把手ｈを把持して紙幣ブロック１から引き出すことが可能にされている。これら金庫Ａ〜Ｃと紙幣ブロック１との間には、必要に応じて電磁力等を利用して金庫Ａ〜Ｃを引き出し禁止状態にするとともに対応する鍵を用いた解錠操作により禁止状態を解除するロック機構ＬＫ１が設けてあり（図３参照）、また、紙幣ブロック１又は金庫Ａ〜Ｃには、引き出し禁止状態か否かを表示して係員に了知させる図示しないＬＥＤ表示部が設けてある。
【００２１】
この実施形態では、図３に示すように、金庫Ａ，Ｂ，Ｄを取引時に投入された紙幣又は払い出すべき紙幣を収納する運用金庫とし、混合金庫Ｄにおいて第一金種たる５千円札と第二金種たる２千円の混合収納を行い得るように構成するとともに、金庫Ａを第三金種たる千円の循環金庫とし、金庫Ｂを第四金種たる万円の循環金庫とし、金庫Ｃを補給又は回収等の多用途に利用可能な自在金庫に設定している。この実施形態の自在金庫Ｃとして、例えば第三金種たる千円用の金庫と第四金種たる万円用の金庫とが選択的に使用される。
【００２２】
識別部２２は、紙幣の金種判定および真性判定を主として行うもので、挿入口１１から投入される紙幣の金種のみ識別する。これに対して、各金庫Ａ〜Ｄに紙幣が補給される場合や、各金庫Ａ〜Ｄから紙幣が回収される場合、各金庫Ａ〜Ｄから払出口１２へ紙幣が搬送（払い出される）される場合等には、図１に示す簡易型の識別部２０（以下、簡易識別部２０とも称する）で金種識別を行う。ここにいう簡易型とは、主に金種識別を行い、紙幣の真性（偽造や否か）までは識別しないものをいう。
【００２３】
搬送制御手段２は、図１及び図３に示すように、周知の現金処理装置と同様に、図示しない挾持ローラ、搬送ベルト、ウィング等の方向変換部などから構成される搬送経路２１と、搬送される現金たる紙幣の金種を識別する識別部２２及び簡易型の識別部２０と、この識別部２２或いは簡易型の識別２０の識別結果に基づいて前記搬送経路２１を制御する制御部２３とを有して構成される。制御部２３は、ＣＰＵ，メモリ及びインターフェースを具備する通常のマイクロコンピュータユニットにより構成されて、メモリ内には所要のプログラムが書き込まれており、ＣＰＵは適宜必要なプログラムを呼び出して実行することにより、周辺ハードリソースと協働して、所期の搬送動作を実現する。そして、制御部２３は、挿入口１１から投入された紙幣を識別部２２に通過させた後、搬送経路２１に沿って流通させ、随所に設けた分岐部２６ａ〜２６ｆで必要に応じて紙幣を方向変換して、金庫Ａ〜Ｄ、一時保留部Ｅ、出金保留部Ｆ、払出口１２、一次保留部ａ１，ｂ１，ｃ１、退避部Ｇ等へ搬送する動作を行うとともに、金庫Ａ〜Ｄ等から搬送経路２１上への紙幣の繰り出し動作、簡易型の識別部２０における金種識別、更には次なる搬送先である出金口１３や金庫Ａ〜Ｄへの搬送動作などを含む統括的な搬送制御を行うように構成されている。また、各金庫Ａ〜Ｄに紙幣を装填し、或いは各金庫Ａ〜Ｄから紙幣を繰り出す際には、各金庫Ａ〜Ｄの一部または搬送経路２１の一部に設けた図示しない計数部によって紙幣の枚数が計数されるようにしている。
【００２４】
各カセット金庫Ａ（Ｂ，Ｃ）は、図４に示すように、紙幣Ｐａを集積状態で収納する収納室ａ２（ｂ２，ｃ２）と、紙葉類Ｐａを収納室ａ２（ｂ２，ｃ２）に投入するとともに収納室ａ２（ｂ２，ｃ２）にある紙葉類Ｐａを排出する投入繰り出し機構３とを有する。この投入繰り出し機構３は、一部が収納室ａ２（ｂ２，ｃ２）内部に面する位置に配置され紙葉類Ｐａを収納室ａ２の内方（投入方向）に付勢するとともに収納室ａ２にある紙葉類Ｐａを収納室ａ２の外方（排出方向）に付勢する投入繰り出しローラユニット３０と、紙葉類Ｐａの集積方向（Ｘ方向）に沿って収納室ａ２内部を移動可能に構成され紙葉類Ｐａをローラユニット３０に向けて付勢するバックアップ部３１と、紙葉類Ｐａの集積方向（Ｘ方向）に沿って移動可能に構成されるフォーク３２とから構成されている。金庫Ｄについては図示しないものの、着脱可能な点を除いて上記カセット金庫Ａ〜Ｃとほぼ同様の構成をなしている。
【００２５】
収納室ａ２（ｂ２，ｃ２）は、図４に示すように、天壁ｗｌ１、底壁ｗｌ２、側壁ｗｌ３及びドアｄｏで包囲された略長方形状の集積空間ＳＰを形成するもので、この集積空間ＳＰに紙葉類Ｐａを収納する。ドアｄｏは、紙葉類Ｐａの補給又は回収を行う場合に開けられるもので、収納室ａ２（ｂ２，ｃ２）内部を金庫Ａの側方に開口する開口端を塞ぐ閉止位置又は閉止位置から退避して収納室ａ２（ｂ２，ｃ２）を開放する開放位置ｔ２に移動可能（開閉可能）に構成されている。このドアｄｏとカセット金庫Ａ（Ｂ，Ｃ）との間には、ドアｄｏを開放禁止に施錠するとともに対応する鍵を用いた解錠操作によりドアの施錠を解除する図示しない施解錠手段が設けられており、上記ロック機構ＬＫ１を解錠することが可能な鍵を有する補給・回収担当者がドアｄｏを開放できないようにロック機構ＬＫ１を解錠するための鍵とは異なる鍵を用いた場合のみ施解錠手段の施錠を解除可能に設定してある。すなわち、カセット金庫の収納室ａ２（ｂ２，ｃ２）は、カセット金庫の抜脱を許可された担当者がアクセスできないように施錠されており、補給・回収担当者が紙幣に触れることにより発生し得る現金事故を防止している。
【００２６】
投入繰り出しローラユニット３０は、図４〜図６に示すように、紙葉類Ｐａの厚み方向（Ｘ方向）両側に配置される駆動力を備えた対をなすフィードローラ３０ａ及びゲートローラ３０ｂと、同様に対をなす投入ローラ３０ｄ，３０ｅと、ピックアップローラ３０ｃとを備え、これらローラ３０ａ〜３０ｅで紙葉類Ｐａを挟持しつつ紙葉類Ｐａを投入方向又は排出方向に付勢するように構成されている。
【００２７】
バックアップ部３１は、図４〜図６に示すように、収納室ａ２（ｂ２，ｃ２）にある紙葉類Ｐａを載置する土台となる略板状をなすもので、集積方向（Ｘ方向）に沿って収納室ａ２（ｂ２，ｃ２）内部を移動可能に構成され、図示しないバネ等の弾性部材により投入繰り出しローラユニット３０を構成するピックアップローラ３０ｃに紙葉類Ｐａを付勢している。
【００２８】
フォーク３２は、図４及び図７に示すように、図示しない駆動モータの動力で集積方向（Ｘ方向）に沿って上下に往復移動可能に構成され、紙葉類を幅方向において少なくとも二点（図では二点）で支持する長尺状をなす複数（図では二つ）の支持部３２ａから構成されている。このフォーク３２は、紙幣を収納室に収納するために、図４及び図５に示すように、バックアップ部３１の付勢力Ｆ１に抗して投入繰り出し機構３から離間する方向（Ｘ１方向）に位置変位することで、収納室ａ２（ｂ２，ｃ２）が形成する集積空間ＳＰを、投入紙葉類を受け入れるための受入空間たる受入部ＳＰ１と、紙葉類Ｐａを集積状態で収納する収納空間たる収納部ＳＰ２とに区画する位置に移動する。また、図４に示す受入部ＳＰ１に紙葉類Ｐａがある状態から図６に示す繰り出し動作を行える状態に移行するために、図７（ａ）→図７（ｂ）のように、収納室ａ２を構成する天壁ｗｌ１に受入部ＳＰ１の紙葉類Ｐａを押し付けながら収納室ａ２（ｂ２，ｃ２）から上方（Ｘ２方向）に退避することで、受入部ＳＰ１にある紙葉類Ｐａをフォーク隙間ｆｓを通して受入部ＳＰ１から収納部ＳＰ２に移送させる移送動作を行う。
【００２９】
運用モードにおいては、図８に示すように、取引時に投入された紙幣を運用金庫Ａ，Ｂ，Ｄのうち対応する金庫に搬送投入し、取引に応じて運用金庫にある釣り札として払い出すべき紙幣を払出口に搬送する払い出し処理が行われる。この場合、釣り札として運用金庫Ａから繰り出された紙幣が簡易型の識別部２０で識別される。この識別の結果、図８（ａ）に示すように、正常券であると判定された場合（払い出すべき金種と一致する等の所定条件を満たす場合）には、紙幣を出金保留部Ｆに搬送して払出口１２から排出する。一方で、図８（ｂ）に示すように、識別の結果、不良券であると判定された場合（払い出すべき金種と異なる金種であるときや白券、長さ異常券等の所定条件を満たさない場合）には、紙幣を退避部Ｇに搬送して運用中の不良券として保留し続ける。
＜１＞無停止補給時（運用中）
【００３０】
運用中に、釣り札の減少により特定金種（例えば千円）を補給したい場合に、例えば千円のカセット金庫Ｃをセットして、操作手段を通じて係員が補給指示を行うと、搬送制御手段２は、図９（ａ）に示すように運用中に生じた計数済の不良券と補給中に生じた未計数の不良券とが混ざらないように、退避部Ｇに保留している運用中の不良券を一時保留部Ｅに搬送退避させ、図９（ｂ）に示すようにカセット金庫Ｃ内の紙幣を繰り出して簡易型の識別部２０に送り、この簡易識別部２０で金種を識別して、正しければ出金保留部Ｆへ、エラーであれば退避部Ｇへ搬送しながら継続装填を行う。装填中はカセット金庫Ａ〜Ｃにロック機構ＬＫ１によって電磁ロックが掛けられる。出金保留部Ｆにおいて紙幣が所定枚数に達したら、カセット金庫Ａのフォーク３２を下方に移動させてカセット金庫Ａに受入部ＳＰ１を形成し（図４及び図５参照）、図９（ｃ）に示すように出金保留部Ｆの紙幣をまとめて一括で千円循環金庫（運用金庫）であるカセット金庫Ａの受入部ＳＰ１に投入し、図７に示すフォーク３２の移送動作を行うことで紙幣を受入部ＳＰ１から収納部ＳＰ２に移送してカセット金庫Ａへ計数装填する。この一連の補給動作を反復実施し、所望の計数装填（補給動作）が終了すると、カセット金庫Ｃのフォーク３２を移動させてカセット金庫Ｃに受入部ＳＰ１を設け、図１０（ｄ）に示すように退避部Ｇにある補給動作中に発生した不良券をカセット金庫Ｃの受入部ＳＰ１に投入し、フォーク３２を図４及び図５に示す状態に維持することで受入部ＳＰ１に投入された不良券を補給用紙幣を収納する収納部ＳＰ２に移送しないで受入部ＳＰ１に保持し続ける。補給動作中に生じた不良券の受入部ＳＰ１への投入が終わると、ロック機構ＬＫ１の電磁ロックが解除されてカセット金庫Ｃが抜脱可能になるとともに、図１０（ｅ）に示すように一時保留部Ｅに退避していた運用中の不良券を退避部Ｇに戻し、運用モードの実行に戻る。
【００３１】
このように、補給動作が完了した後に退避部Ｇの不良券を受入部ＳＰ１へ投入し、受入部ＳＰ１に投入された不良券を補給用紙幣を収納する収納部ＳＰ２に移送しないで受入部ＳＰ１に保持し続けることにより、受入部ＳＰ１を、収納部ＳＰ２とは別に不良券を収納するためのカセット金庫側不良券回収部４として用いている。すなわち、カセット金庫Ｃにカセット金庫側不良券回収部４を設け、カセット金庫側不良券回収部４に補給動作中に生じた不良券を格納するとともに、収納部ＳＰ２に補給用紙幣を収納することで、不良券を補給用紙幣と分別した状態で回収することを可能にしている。
＜２＞無停止回収時（運用中）
【００３２】
運用中に、特定金種（例えば２千／５千円）の全回収を行いたい場合に、回収したい金種用（２千／５千円を収納可能な万円用金庫）のカセット金庫Ｃをセットして、操作手段を通じて係員が全回収指示を行うと、搬送制御手段２は、図１１（ａ）に示すように運用中に生じた不良券と回収中に生じた不良券とが混ざらないように、退避部Ｇに保留している運用中の不良券を一時保留部Ｅに搬送退避させ、図１１（ｂ）に示すように混合金庫Ｄ内の紙幣を繰り出して簡易型の識別部２０に送り、この簡易識別部２０で金種を識別して、正しければ出金保留部Ｆへ、エラーであれば退避部Ｇへ搬送しながら継続回収を行う。装填中はカセット金庫Ａ〜Ｃにロック機構ＬＫ１によって電磁ロックが掛けられる。出金保留部Ｆにおいて所定枚数に達したら、図１１（ｃ）に示すようにまとめて一括でカセット金庫Ｃにおける受入部ＳＰ１を介して収納部ＳＰ２に計数回収する。この一連の回収動作を反復実施し、所望の計数回収（回収動作）が終了すると、カセット金庫Ｃのフォーク３２を移動させてカセット金庫Ｃに受入部ＳＰ１を設け（図４及び図５参照）、図１２（ｄ）に示すように退避部Ｇにある回収動作中に発生した不良券をカセット金庫Ｃの受入部ＳＰ１に投入し、フォーク３２を図４及び図５に示す状態に維持することで受入部ＳＰ１に投入された不良券を回収済紙幣を収納する収納部ＳＰ２に移送しないで受入部ＳＰ１に保持し続ける。回収動作中に生じた不良券の受入部ＳＰ１への投入が終わると、ロック機構ＬＫ１の電磁ロックが解除されてカセット金庫Ｃが抜脱可能になるとともに、図１２（ｅ）に示すように一時保留部Ｅに退避していた運用中の不良券を退避部Ｇに戻し、運用モードの実行に戻る。
【００３３】
このように、回収動作が完了した後に退避部Ｇの不良券を受入部ＳＰ１へ投入し、受入部ＳＰ１に投入された不良券を回収済紙幣を収納する収納部ＳＰ２に移送しないで受入部ＳＰ１に保持し続けることにより、受入部ＳＰ１を、収納部ＳＰ２とは別に不良券を収納するためのカセット金庫側不良券回収部４として用いている。すなわち、カセット金庫Ｃにカセット金庫側不良券回収部４を設け、カセット金庫側不良券回収部４に回収動作中に生じた不良券を格納するとともに、収納部ＳＰ２に回収済紙幣を収納することで、不良券を回収済紙幣と分別した状態で回収することを可能にしている。
＜３＞締め切り回収時
【００３４】
紙葉類処理装置の取引を締め切って全ての金庫にある全ての紙幣を回収する場合には、各々の運用金庫（千円を収納するカセット金庫Ａ、万円を収納するカセット金庫Ｂ、２千／５千円を収納する混合金庫Ｄ）毎に上記の回収動作を行う。図１３（ａ）に示すように最後の混合金庫Ｄの回収動作が終わり、回収動作中に生じた不良券の受入空間への投入が終わると、図７に示すフォーク３２の移送動作を行うことで締め切り回収中の不良券を受入部ＳＰ１から収納部ＳＰ２に移送し、その後再び受入部ＳＰ１を形成し、図１３（ｂ）に示すように一時保留部Ｅに退避していた運用中の不良券を受入部ＳＰ１に投入して、回収動作中に生じる不良券の代わりに運用中に生じる不良券を受入部ＳＰ１に保持し続けることで、運用中の不良券をカセット金庫側不良券回収部４に収納している。この場合、運用中の不良券を全金庫の全紙幣と分別した状態で回収することになる。
【００３５】
以上のように、本実施形態に係る紙葉類処理装置は、取引時に投入された紙幣Ｐａ又は払い出すべき紙幣Ｐａを収納する運用金庫Ａ，Ｂ，Ｄおよび着脱可能なカセット金庫Ｃを含む複数の金庫Ａ〜Ｄと、カセット金庫Ｃに装填された紙幣Ｐａを識別部２０で識別して対応する運用金庫Ａに補給する動作または所定の運用金庫Ａの紙幣を識別部２０での識別を通じてカセット金庫Ｃに回収する動作を行う搬送制御手段２と、識別部２０で不良券と判定された紙幣Ｐａを保留する退避部Ｇとを具備してなり、カセット金庫Ｃに、補給用紙幣又は回収済紙幣を収納するための収納部ＳＰ２とは別に不良券を収納するためのカセット金庫側不良券回収部４を設け、搬送制御手段２に、退避部Ｇに保留した不良券をカセット金庫側不良券回収部４に搬送させるように構成している。
【００３６】
このように、カセット金庫Ｃに、補給用紙幣又は回収済紙幣を収納するための収納部ＳＰ２とは別に不良券を収納するためのカセット金庫側不良券回収部４を設け、搬送制御手段２に、補給時又は回収時に退避部Ｇに保留した不良券をカセット金庫側不良券回収部４に搬送させるようにしたので、カセット金庫Ｃを用いて補給又は回収作業を行うだけで補給用紙幣又は回収済紙幣と分別した状態で不良券を回収でき、補給作業又は回収作業と別途に不良券を回収する作業が不要となり、作業効率を向上させることができる。しかも、不良券を回収するために不良券自体に触れる必要がないので、マネーストレスを無くすることが可能となる。
【００３７】
また、本実施形態では、カセット金庫Ｃは、紙幣Ｐａを集積状態で収納する収納室ｃ２と、収納室ｃ２内部を移動可能に構成されたフォーク３２とを備え、収納室ｃ２を、投入される紙幣Ｐａを受け入れるための受入空間たる受入部ＳＰ１と、紙幣Ｐａを収納する収納空間たる収納部ＳＰ２とに区画する位置にフォーク３２を移動させ、受入部ＳＰ１に投入された紙幣Ｐａを受入部ＳＰ１から収納部ＳＰ２に移送する動作をフォーク３２に行わせることで、紙幣Ｐａを収納するように構成されており、補給動作又は回収動作が完了した後に不良券を受入部ＳＰ１へ投入し、受入部ＳＰ１に投入された不良券を補給用紙幣又は回収済紙幣を収納する収納部ＳＰ２に移送しないで受入部ＳＰ１に保持し続けることにより、受入部ＳＰ１をカセット金庫側不良券回収部４として用いるように構成されているので、収納室ｃ２に紙幣Ｐａを投入する際に必要な既存の投入繰り出し機構３を有効利用して、新たな回収機構を設けて装置寸法や製造コストを増大させることなく、不良券を収納するためのカセット金庫側不良券回収部４を収納部ＳＰ２とは別にカセット金庫Ｃに設けることを可能としている。
【００３８】
さらに、本実施形態では、運用金庫Ａ，Ｂ，Ｄにある釣り札等の払い出すべき紙幣Ｐａを識別部２０で識別して払出口１２に搬送する払い出し処理を行う運用モードにおいて識別部２０で不良券と判定された紙幣Ｐａを退避部Ｇに保留しておき、回収すべき紙幣Ｐａをカセット金庫Ｃの収納部ＳＰ２に回収した後に、運用モードにおいて生じた不良券をカセット金庫側不良券回収部４に搬送するように構成しているので、カセット金庫Ｃを通じて回収作業を行うだけで、運用モードにおいて生じた不良券をマネーストレス無く、回収済紙幣と分別した状態で回収することが可能となる。
【００３９】
以上、本発明の実施形態について図面に基づいて説明したが、具体的な構成は、これらの実施形態に限定されるものでないと考えられるべきである。本発明の範囲は、上記した実施形態の説明だけではなく特許請求の範囲によって示され、さらに特許請求の範囲と均等の意味および範囲内でのすべての変更が含まれる。
【００４０】
例えば、金庫Ａ〜Ｄに格納する金種は本実施形態のものに限定されるものでなく、どの金種を格納することも可能である。また、カセット金庫Ｃを例に挙げて説明したが、カセット金庫ＡやＢを用いて補給動作又は回収動作を行うように構成してもよい。また、不良券を格納するためのカセット金庫側不良券回収部４をフォーク３２の動作によって形成しているが、カセット金庫Ａ〜Ｃにカセット金庫側不良券回収部を設けることができれば、収納室ａ２とは別に回収専用の空間を設けてカセット金庫側不良券回収部を形成してもよく、また既存の一次保留部ａ１〜ｃ１等をカセット金庫側不良券回収部として用いてもよい。
【００４１】
また、各部の具体的な構成は、上述した実施形態のみに限定されるものではなく、本発明の趣旨を逸脱しない範囲で種々変形が可能である。
【符号の説明】
【００４２】
１２…払出口
２…搬送制御手段
２０…識別部
３２…フォーク
４…カセット金庫側不良券回収部
Ａ〜Ｄ…金庫
Ａ，Ｂ，Ｄ…運用金庫
Ｃ…カセット金庫
Ｇ…退避部
Ｐａ…紙幣
ａ２，ｂ２，ｃ２…収納室
ＳＰ１…受入部
ＳＰ２…収納部
【図１】
2012073711.tif 000003
【図２】
2012073711.tif 000004
【図３】
2012073711.tif 000005
【図４】
2012073711.tif 000006
【図５】
2012073711.tif 000007
【図６】
2012073711.tif 000008
【図７】
2012073711.tif 000009
【図８】
2012073711.tif 000010
【図９】
2012073711.tif 000011
【図１０】
2012073711.tif 000012
【図１１】
2012073711.tif 000013
【図１２】
2012073711.tif 000014
【図１３】
2012073711.tif 000015